(57)【要約】【課題】車道の有効幅員を実質的に拡げることができると共に自転車の走行の安全性を向上でき、且つ排水機能を向上できる舗装道路用側溝を提供する。【解決手段】天面部１２の上面の幅方向の中途部に側溝の長手方向に連続して設けられた天面突起部１５と、その天面突起部１５よりも車道側であって天面部１２の上面の車道寄り部分を構成して車道３０の舗装材３１が天面突起部１５の上面１５ａに連続する高さに積層される部分となる車道側段部１３と、天面突起部１５よりも歩道側であって天面部１２の上面の歩道寄り部分を構成して縁石５０や歩道４０の舗装材４１が載置や積層される部分となる歩道側段部１４と、天面突起部１５の幅方向の中央部上面に側溝の長手方向に連続して設けられた集水用窪み部１６と、集水用窪み部１６から下方へ連続して天面部１２を上下方向へ貫通するように間隔を置いて設けられた排水孔１７とを備える。【選択図】図１
2014066057.tif 000002
【特許請求の範囲】
【請求項１】
舗装道路の車道と歩道の合わせ部に沿って排水用の側溝として設置され、一対の側壁と上面を覆う天面部が設けられている舗装道路用側溝であって、
前記天面部の上面であって該天面部の幅方向の中途部に側溝の長手方向に連続して凸筋状に上方へ突起して設けられた天面突起部と、
該天面突起部よりも前記車道側であって前記天面部の上面の車道寄り部分を構成して前記車道の舗装材が前記天面突起部の上面に連続する高さに積層される部分となる車道側段部と、
前記天面突起部よりも前記歩道側であって前記天面部の上面の歩道寄り部分を構成して縁石や前記歩道の舗装材が載置や積層される部分となる歩道側段部と、
前記天面突起部の幅方向の中央部上面に側溝の長手方向に連続して凹筋状に形成されて雨水を集水するように設けられた集水用窪み部と、
該集水用窪み部から下方へ連続して前記天面部を上下方向へ貫通するように側溝の長手方向に間隔を置いて複数がスリット状に開口して該開口が下方へ向けて徐々に拡大するように設けられた排水孔とを備えることを特徴とする舗装道路用側溝。
【請求項２】
前記天面部の少なくとも一部が、前記一対の側壁を備える側溝本体とは別体に設けられる蓋体によって構成されていることを特徴とする請求項１記載の舗装道路用側溝。
【請求項３】
前記天面突起部が、前記蓋体の幅方向の中央部に設けられていることを特徴とする請求項２記載の舗装道路用側溝。
【請求項４】
前記歩道側段部に前記縁石の全体が載置されるように前記天面突起部が天面部の上面に位置されていることを特徴とする請求項１〜３のいずれかに記載の舗装道路用側溝。
【請求項５】
前記一対の側壁と前記天面部によって側溝本体が門型に形成され、底部については現場において高さが調整されて形成される可変側溝であることを特徴とする請求項１〜４のいずれかに記載の舗装道路用側溝。
【発明の詳細な説明】
【技術分野】
【０００１】
この発明は、舗装道路の車道と歩道の合わせ部に沿って排水用の側溝として設置され、上面を覆う天面部が設けられている舗装道路用側溝に関する。
【背景技術】
【０００２】
従来、舗装道路用側溝（以下、単に「側溝」ともいう）は、専ら、道路の延長方向に所要の間隔を置いて設置されたグレーチングの部分で、路面に降った雨や雪解け水、人為的散水などの雨水等を、集中的に側溝内に導いて排水がなされるように設けられている。また、このような従来の側溝では、グレーチングの部分へ雨水等を導くため、車道の路肩となっている側溝の天面部の上面がより急な勾配になっている。これによれば、縁石がダムになって雨水等を効果的に集めることができ、間隔を置かれて配置されたグレーチングまで雨水等をスムースに流して排水を行うことができる。
【０００３】
また、雨水等を側溝の天面部の上面（凹面状の上段水路）で効果的に集めて流すことができると共に、雨水等が側溝の内部へも効果的に排水されるように、側溝の内部へ雨水等を導く排水孔が、側溝の天面部に舗装道路の延長方向へスリット状に形成されて、舗装道路の延長方向に沿ってより長くより均一で高頻度に形成された側溝ブロックが開発されている。
【０００４】
そのような側溝としては、例えば、断面直交方向に延在し、底面を下段水路とする断面Ｕ字状の本体部と、前記本体部の一方上縁部から本体部の断面方向に張り出し、上面を上段水路とするフランジ部と、前記本体部の他方上縁部から本体部の断面方向に張り出した庇部とをコンクリートにより一体成形してなり、フランジ部は、他方上縁部を有する本体部の内側面近傍まで張り出し、前記張り出した先の端面と他方上縁部を有する本体部の内側面との間に雨水落下間隙を形成し、庇部は、前記雨水落下間隙の直上まで張り出し、前記張り出した先の端面下縁又は下面とフランジ部の張り出した先の端面上縁又は上面との間に雨水流入開口を形成してなる側溝ブロック（特許文献１参照）が開示されている。
【０００５】
以上のような従来の側溝では、グレーチングの間や上段水路において雨水等の流れを効果的に生じることになって排水性を高めるという見方もあるが、その雨水等の流れ自体が水溜りの一形態であり、雨水等の排水が必ずしも効果的に行われているとは言えないのが現状である。
そして、上記従来の側溝においては、その天面部の上面全体が地上に露出されている。この天面部の上面は、コンクリートやグレーチングによって構成されているため滑り易い面となっている。また、この天面部の上面は、車道の路肩の部分に位置されるが、道路の延長方向へ延びる区画線を引くことが難しい面となっている。
【０００６】
このように従来の側溝では、その天面部の上面が車道の路肩に幅広く位置して、その車道に沿って帯状に延設されることになるため、実質的に車道の幅員を狭めて実質的に無駄なスペースを生じさせており、街路としての舗装道路にかかる景観を損ねるものともなっている。また、車道の端部となる天面部の傾斜した上面によって車道の端部の勾配が急になること、その傾斜した上面と縁石との間や天面部の凹面状上面には雨水等の水溜りが生じ易いこと、その天面部の上面がコンクリート面であって滑り易いことから、車道の端部を走ることになり易い自転車の走行については安全性に問題がある。さらに、その水溜りが発生することで、車によって歩道側へ水はねを生じさせることにもなる。
【先行技術文献】
【特許文献】
【０００７】
【特許文献１】特開２００９−７８８９号公報（第１頁）
【発明の概要】
【発明が解決しようとする課題】
【０００８】
舗装道路用側溝に関して解決しようとする問題点は、従来の側溝では天面部の上面全面が露出しているため実質的に車道の幅員を狭めると共に、大きく露出した天面部の上面は勾配がきつく滑り易い面になっており、その天面部の上面が自転車の通行空間となる車道端部の路面となっているため自転車の走行の安全性を確保することが難しいことにある。また、天面部の傾斜した上面と縁石との間や凹面状上面には水溜りが生じ易いため排水機能が合理的ではないことにもある。
そこで、本発明の目的は、路面への露出を少なくして車道の有効幅員を実質的に拡げることができると共に車道端部の路面勾配をゆるくして自転車の走行の安全性を向上でき、且つ排水機能を向上できる舗装道路用側溝を提供することにある。
【課題を解決するための手段】
【０００９】
本発明にかかる舗装道路用側溝の一形態によれば、舗装道路の車道と歩道の合わせ部に沿って排水用の側溝として設置され、一対の側壁と上面を覆う天面部が設けられている舗装道路用側溝であって、前記天面部の上面であって該天面部の幅方向の中途部に側溝の長手方向に連続して凸筋状に上方へ突起して設けられた天面突起部と、該天面突起部よりも前記車道側であって前記天面部の上面の車道寄り部分を構成して前記車道の舗装材が前記天面突起部の上面に連続する高さに積層される部分となる車道側段部と、前記天面突起部よりも前記歩道側であって前記天面部の上面の歩道寄り部分を構成して縁石や前記歩道の舗装材が載置や積層される部分となる歩道側段部と、前記天面突起部の幅方向の中央部上面に側溝の長手方向に連続して凹筋状に形成されて雨水を集水するように設けられた集水用窪み部と、該集水用窪み部から下方へ連続して前記天面部を上下方向へ貫通するように側溝の長手方向に間隔を置いて複数がスリット状に開口して該開口が下方へ向けて徐々に拡大するように設けられた排水孔とを備える。
【００１０】
また、本発明にかかる舗装道路用側溝の一形態によれば、前記天面部の少なくとも一部が、前記一対の側壁を備える側溝本体とは別体に設けられる蓋体によって構成されていることを特徴とすることができる。
また、本発明にかかる舗装道路用側溝の一形態によれば、前記天面突起部が、前記蓋体の幅方向の中央部に設けられていることを特徴とすることができる。
【００１１】
また、本発明にかかる舗装道路用側溝の一形態によれば、前記歩道側段部に前記縁石の全体が載置されるように前記天面突起部が前記天面部の上面に位置されていることを特徴とすることができる。
また、前記一対の側壁と前記天面部によって側溝本体が門型に形成され、底部については現場において高さが調整されて形成される可変側溝であることを特徴とすることができる。
【発明の効果】
【００１２】
本発明にかかる舗装道路用側溝によれば、路面への露出を少なくして車道の有効幅員を実質的に拡げることができると共に車道端部の路面勾配をゆるくして自転車の走行の安全性を向上でき、且つ排水機能を向上できるという特別有利な効果を奏する。
【図面の簡単な説明】
【００１３】
【図１】本発明にかかる舗装道路用側溝の形態例を示す断面図である。
【図２】図１の舗装道路用側溝の平面図である。
【図３】図２の蓋体の部分にかかるＡ−Ａ線断面図である。
【図４】図２の蓋体の部分にかかるＢ−Ｂ線断面図である。
【図５】図１の縁石を乗入れ用の縁石に交換した状態の断面図である。
【図６】本発明にかかる舗装道路用側溝の他の形態例（可変側溝）を示す断面図である。
【発明を実施するための形態】
【００１４】
以下、本発明にかかる舗装道路用側溝の形態例を添付図面（図１〜５）に基づいて詳細に説明する。
本発明にかかる舗装道路用側溝１０は、図１に示すように舗装道路の車道３０と歩道４０の合わせ部に沿って排水用の側溝として設置され、一対の側壁１１、１１と上面を覆う天面部１２が設けられている。
【００１５】
天面部１２は、図１に示すように一対の側壁１１を備える側溝本体１０ａの上方を覆う部分である。この天面部１２は、その少なくとも一部が、側溝本体１０ａとは別体に設けられる蓋体２０によって構成できる。本形態例の天面部１２は、その全体が蓋体２０によって構成されている。これによれば、側溝本体１０ａから天面部１２である蓋体２０を分離して交換することができる。また、本形態例の側溝本体１０ａは、底部１０ｂを備えるものでコンクリートによって形成されたＵ字溝ブロックになっている。なお、本発明にかかる舗装道路用側溝１０は、この形態例に限定されるものではなく、天面部１２が側溝本体１０ａと一体的に形成されている構成の側溝であってもよいのは勿論である。
【００１６】
また、本形態例の蓋体２０は、図１に示すようにその下面２０ａが平坦に形成され、その幅が側溝本体１０ａの幅に一致するように形成されている。この蓋体２０は、下面２０ａの両端側の部分が一対の側壁１１、１１の上端面１１ａ、１１ａに当接して側溝本体１０ａの上面を架け渡すように載置される。この蓋体２０を載置する作業は、下面２０ａが平坦であるため容易に行うことができる。なお、蓋体２０は、側溝本体１０ａが設置された後、蓋体２０の下面２０ａの凹穴と側溝本体１０ａの上端面の凹穴との間に亘って嵌るピンなどの位置決め具によってずれないように置かれて固定されている。また、側溝本体１０ａは、掘削された土中の内底に形成された基礎材２２及び敷モルタル２１の層の上に設置される。
【００１７】
そして、天面部１２には、その上面の幅方向の中途部に側溝の長手方向に連続して凸筋状に上方へ突起して天面突起部１５が設けられている。この天面突起部１５は天面部１２の幅方向の中途部に設けられているため、その天面部１２の上面を幅方向に二分するように区画する部分となっており、その結果として天面部１２の上面に平坦な車道側段部１３と歩道側段部１４とが形成される。
【００１８】
車道側段部１３は、図１に示すように天面突起部１５よりも車道３０側であって天面部１２の上面の車道３０寄り部分を構成して車道３０の舗装材３１が天面突起部１５の上面１５ａに連続する高さに積層される部分となっている。
【００１９】
この車道側段部１３には、天面突起部１５の上面１５ａの高さまで舗装材３１が積層されるため、天面部１２が露出する部分はその天面突起部１５の上面１５ａだけとなり、天面部１２の露出部分が極めて限定的になる。これによれば、車道３０の路面が実質的に拡張してその有効幅員が実質的に拡がることになり、舗装道路の景観をすっきりさせることもできる。従って、街路の景観を向上させることができる。また、天面部１２の露出部分が極めて限定的になるため、車道に区画線３３を好適に引くことができる。
【００２０】
また、舗装材３１が車道側段部１３に積層されることで、車道３０の路面の勾配が維持された状態で車道３０の有効幅員を好適に拡げることができる。なお、後述するようなスリット状の排水孔１７によって排水機能が向上されているため、従来の側溝のような天面部の勾配を設ける必要がない。すなわち、従来の側溝における天面部の上面の勾配が例えば６％に設定されているとすると、本発明では、車道側段部１３に積層された舗装材３１によって形成される車道３０の路面部分の勾配を例えば車道３０の路面の延長として２％に設定することができる。また、舗装材３１としては、例えばアスファルトを採用すると滑りにくくなる。これによれば、路肩（車道の端部）を走るように強いられる自転車の走行の安全性を向上することができる。
【００２１】
また、舗装材３１の上面と天面突起部１５の上面１５ａが連続する高さになって面一となっているため、車道３０の雨水等が障害なく天面突起部１５の上面１５ａに導かれ、後述するスリット状の排水孔１７によって好適に排水される。また、水溜りが発生しないので車によって歩道側へ水はねを生じさせることも防止できる。なお、この舗装材３１又は後述する歩道用の舗装材４１としては、アスファルト、コンクリート、石材など車道又は歩道に用いられるあらゆる舗装材が含まれ、それらを適宜選択的に用いればよい。
【００２２】
歩道側段部１４は、図１に示すように天面突起部１５よりも歩道４０側であって天面部１２の上面の歩道寄り部分を構成して縁石５０や歩道の舗装材４１が載置や積層される部分となっている。
【００２３】
この歩道側段部１４は、その歩道側段部１４上に縁石５０の全体又は一部を載置させることができるように設けられている。これによれば、縁石５０を適切に位置決めして設置することができ、歩道４０を好適に形成することができる。また、縁石５０の全体が歩道側段部１４上に載置されるように、天面突起部１５を天面部１２の上面に位置させることができるため、歩道４０をより簡単に形成することができる。すなわち、縁石５０の全体が歩道側段部１４上に載置される場合は、歩道４０において、縁石５０の載置面補強用の地盤工事の手間が一切不要になる。
【００２４】
さらに、歩道４０と車道３０とを区分けする仕切り用の縁石５０を、図６に示すような車道３０と歩道４０との段差を解消する乗入れ用の縁石５１に容易に交換することができる。また、破損時などに縁石５０を交換することも容易にできる。なお、縁石５０又は５１は図５に示すように歩道側段部１４上に敷モルタル２１を介して設置される。
また、歩道側段部１４は、縁石５０が不要である場合には歩道４０の舗装材４１を積層させることができる。これによれば、舗装道路用側溝１０の天面部１２の上まで歩道の幅を拡げることができる。
【００２５】
また、本形態例の天面突起部１５は、蓋体２０の幅方向の中央部に設けられている。これによれば、車道側段部１３や歩道側段部１４にかかる荷重をバランスよく受けてその荷重をバランスよく分散することができ、耐久性を向上できる。また、蓋体２０の厚みを必要以上に大きくして強度を高める必要がないため、側溝内部の流路空間を広く確保することができると共に蓋体２０の製作費用を低減できる。
【００２６】
なお、縁石５０が不要な場合又は縁石５０の幅が狭い場合や、車道３０の路面を拡げたい場合は、天面突起部１５の位置を歩道４０側寄りに位置させることができる。逆に、歩道４０を拡げたい場合や車道側段部１３に大きな荷重がかかることが予想される場合には天面突起部１５の位置を車道３０側寄りに位置させることができる。
【００２７】
また、天面突起部１５には、天面突起部１５の幅方向の中央部上面に側溝の長手方向に連続して凹筋状に形成されて雨水等を集水するように設けられた集水用窪み部１６が設けられている。車道３０から天面突起部１５の上面１５ａに流れた雨水等は、この集水用窪み部１６に集められる。この集水用窪み部１６は、舗装道路と側溝の長手方向に連続しており、その全長で雨水等を集めることができ、効率よく後述する排水孔１７へ案内して排水をすることができる。
【００２８】
そして、この集水用窪み部１６には、図１及び図３に示すように集水用窪み部１６から下方へ連続して天面部１２を上下方向へ貫通するように側溝の長手方向に間隔を置いて複数がスリット状に開口してその開口が下方へ向けて徐々に拡大するように設けられた排水孔１７が設けられている。
【００２９】
この排水孔１７は、垂直に貫通しているため、集水用窪み部１６に集められた雨水を素早く側溝内部に落として流すことができ、水溜りが生じることを防止できる。また、この排水孔１７は、雨水等が側溝の内部へ効果的に排水されるように、舗装道路用側溝１０（天面突起部１５）の延長方向へスリット状に形成されて、天面突起部１５の延長方向に沿って一定の均一な間隔をおいてより高頻度に多数が形成されている。さらに、排水孔１７は、その開口が下方へ向けて徐々に拡大するように設けられているため、ゴミなどが詰まりにくい形態になっている。
【００３０】
また、図１及び図４に示すように、車道側段部１３には、透水性の舗装材３１によって設けられた車道３０から排水させるための貫通孔１３ａを、舗装道路用側溝１０（天面突起部１５）の延長方向へ所定の間隔を置いて多数を設けることができる。
【００３１】
図１〜５に示す側溝はＵ字状であるが、図６に示すように、一対の側壁１１、１１と天面部１２によって側溝本体１０ａが門型に形成され、底部については現場において高さが調整されて形成される可変側溝１０Ｘとすることもできる。この場合、底部は現場打ちのインバートコンクリート２３などによって構成することができる。
【００３２】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３３】
１０  舗装道路用側溝
１０ａ  側溝本体
１０ｂ  底部
１１  側壁
１１ａ  上端面
１２  天面部
１３  車道側段部
１３ａ  貫通孔
１４  歩道側段部
１５  天面突起部
１５ａ  天面突起部の上面
１６  集水用窪み部
１７  排水孔
２０  蓋体
２０ａ  下面
２１  敷モルタル
２２  基礎材
２３  インバートコンクリート
３０  車道
３１  車道の舗装材
３３  区画線
４０  歩道
４１  歩道の舗装材
５０  縁石
５１  乗入れ用の縁石
【図１】
2014066057.tif 000003
【図２】
2014066057.tif 000004
【図３】
2014066057.tif 000005
【図４】
2014066057.tif 000006
【図５】
2014066057.tif 000007
【図６】
2014066057.tif 000008